(57)【要約】【課題】透明で目立ちにくいＦＳＳパターンを得るための、導電性素子の寸法およびその隙間の寸法を定める方法を提供する。【解決手段】透明電波吸収体用のＦＳＳにおいて、導電性素子の寸法Ｌおよび導電性素子間の隙間の寸法ｇを定める方法であって、（Ｉ）あるＦＳＳパターンの前記一つの方向に沿った一次元配列を、空間周波数ｆに対して、コントラストの逆数として数値化する工程と、（ＩＩ）コントラスト感度関数ＣＳＦを用いて、（Ｉ）で得られたＲＣプロット群に一致するコントラスト感度関数ＣＳＦが得られるような限界輝度を算出する工程と、（ＩＩＩ）寸法ｇを横軸とし、寸法Ｌを縦軸とした二次元座標上に、同一の輝度ＬＬｅｆのプロット同士を結んだ限界輝度線Ａｉを示したマップを作成する工程と、（ＩＶ）マップから、寸法Ｌおよび寸法ｇを定める工程と、を有することを特徴とする方法。【選択図】図４
2010062471.tif 000002
【特許請求の範囲】
【請求項１】
透明基板上に配置された導電性素子の二次元繰り返しパターンを有する透明電波吸収体用のＦＳＳにおいて、一つの方向における導電性素子の寸法Ｌおよび導電性素子間の隙間の寸法ｇを定める方法であって、
当該方法は、
（Ｉ）あるＦＳＳパターンの前記一つの方向に沿った一次元配列を、空間周波数ｆに対して、コントラストの逆数として数値化する工程であって、
（Ｉ−１）視距離ｄ、前記隙間の部分の透過率Ｔｉ、前記導電性素子の透過率Ｔｃを固定値として、前記ＦＳＳパターンの一次元配列から、コントラスト情報Ｇｆを得るステップ、
（Ｉ−２）前記コントラスト情報Ｇｆを、フーリエ変換処理し、スペクトル情報Ｓｆを得るステップ、
（Ｉ−３）前記スペクトル情報Ｓｆに対して、以下の式（１）で表されるＭＴＦ応答を求める処理を実施して、ＭＴＦ応答信号を取得するステップ、および
【数１】
2010062471.tif 000022
（Ｉ−４）前記ＭＴＦ応答信号を逆数化することにより、空間周波数ｆに対するＲＣプロット群を得るステップ、
を有する工程と、
（ＩＩ）視野角をｗ、輝度をＬｋとしたとき、以下の式（２）で表されるコントラスト感度関数ＣＳＦを用いて、
【数２】
2010062471.tif 000023
（Ｉ）で得られたＲＣプロット群に一致するコントラスト感度関数ＣＳＦが得られるような限界輝度を算出する工程であって、
（ＩＩ−１）視野角ｗを固定値として、ＲＣプロット群を構成する各プロット毎に、限界輝度ＬＬｉを算出するステップ、および
（ＩＩ−２）算出された各輝度ＬＬｉを用いて、以下の式（３）
【数３】
2010062471.tif 000024
から、実効限界輝度ＬＬｅｆを算出するステップ、
を有する工程と、
（ＩＩＩ）前記隙間の寸法ｇを横軸とし、前記導電性素子の寸法Ｌを縦軸とした二次元座標上に、同一の輝度ＬＬｅｆのプロット同士を結んだ少なくとも一つの限界輝度線Ａｉを示したマップを作成する工程であって、
前記工程（Ｉ）、工程（ＩＩ）を、前記導電性素子の寸法Ｌおよび前記導電性素子間の隙間の寸法ｇが異なる各種ＦＳＳパターンについて実施し、これにより、前記マップが作成される工程と、
（ＩＶ）前記マップから、前記導電性素子の寸法Ｌおよび前記導電性素子間の隙間の寸法ｇを定める工程であって、
（ＩＶ−１）前記マップ上に、前記透明電波吸収体が適正に作動するＦＳＳパターンの範囲Ｐを表示するステップ、
（ＩＶ−２）前記限界輝度線Ａｉおよび前記範囲Ｐで囲まれた領域のうち、前記限界輝度線Ａｉよりも左側の領域を選定領域として定めるステップ、および
（ＩＶ−３）得られた少なくとも一つの前記選定領域に含まれるように、前記導電性素子の寸法Ｌおよび前記導電性素子間の隙間の寸法ｇを定めるステップ、
を有する工程と、
を有することを特徴とする方法。
【請求項２】
前記ＦＳＳパターンの一次元配列から、コントラスト情報Ｇｆを得るステップは、
前記視距離ｄから、前記ＦＳＳパターンの一次元配列を、角度で規定されたＦＳＳパターンＧａに変換するステップと、
前記隙間の部分の透過率Ｔｉおよび前記導電性素子の透過率Ｔｃから、以下の式（４）で表されるマイケルソンコントラスト値ＭＣを算定するステップと、
【数４】
2010062471.tif 000025
前記ＦＳＳパターンＧａに、前記マイケルソンコントラスト値ＭＣを乗じるステップと、
により算出されることを特徴とする請求項１に記載の方法。
【請求項３】
前記マイケルソンコントラスト値ＭＣは、０．０８〜０．１５の範囲であることを特徴とする請求項２に記載の方法。
【請求項４】
前記選定領域は、前記隙間の寸法ｇがｇ≧０．０５ｍｍを満たす領域にあることを特徴とする請求項１乃至３のいずれか一つに記載の方法。
【請求項５】
前記透明電波吸収体が適正に作動するＦＳＳパターンの範囲Ｐは、前記透明電波吸収体の吸収量が１０ｄＢ以上となるときのＦＳＳパターンの範囲を含むことを特徴とする請求項１乃至４のいずれか一つに記載の方法。
【請求項６】
前記隙間の部分の透過率Ｔｉは、０．８５〜０．９０の範囲であり、前記導電性素子の透過率Ｔｃは、０．６５〜０．８２の範囲であることを特徴とする請求項１乃至５のいずれか一つに記載の方法。
【請求項７】
前記視距離ｄは、５００ｍｍ〜１５００ｍｍの範囲であることを特徴とする請求項１乃至６のいずれか一つに記載の方法。
【請求項８】
前記視野角ｗは、２０゜〜３０゜の範囲であることを特徴とする請求項１乃至７のいずれか一つに記載の方法。
【請求項９】
前記限界輝度線Ａｉは、実効限界輝度ＬＬｅｆが１００ｃｄ／ｍ２以上の場合の限界輝度線であることを特徴とする請求項１乃至８のいずれか一つに記載の方法。
【請求項１０】
前記ＦＳＳパターンは、一辺の長さがＬの導電性素子と、幅ｇを有するスリットとの二次元繰り返しパターンで構成されることを特徴とする請求項１乃至９のいずれか一つに記載の方法。
【請求項１１】
前記ＦＳＳパターンは、一辺の長さがＬの導電性素子と、幅がＤの中間部分との二次元繰り返しパターンで構成され、
前記中間部分は、それぞれが幅ｇを有する２本のスリットと、該２本のスリットの間に挟まれた第２の導電性素子とで構成され、
前記工程（Ｉ）〜（ＩＶ）において、前記導電性素子の一辺の長さＬと前記中間部分の幅Ｄとの比（Ｌ／Ｄ）を固定値ｋとしたとき、第２の導電性素子の幅Ｍを、
Ｍ＝Ｌ／ｋ−２ｇ
で求めて、同様の操作が行われることを特徴とする請求項１乃至９のいずれか一つに記載の方法。
【請求項１２】
前記導電性素子は、矩形状であり、
前記一つの方向に垂直な別の方向に沿った一次元配列に対して、前記工程（Ｉ）〜（ＩＶ）が繰り返されることを特徴とする請求項１乃至１１のいずれか一つに記載の方法。
【請求項１３】
前記導電性素子は、正方形状であることを特徴とする請求項１乃至１１のいずれか一つに記載の方法。
【請求項１４】
透明基板上に配置された導電性素子の二次元繰り返しパターンを有するＦＳＳを備える透明電波吸収体であって、
ＦＳＳパターンは、以下の（Ｉ）〜（ＩＩＩ）に示す評価手法により判断した場合、（ＩＶ）に示す判断基準を満たすことを特徴とする透明電波吸収体：
（評価手法）
（Ｉ）前記ＦＳＳパターンの一つの次元における配列を、導電性素子の寸法をＬ、前記導電性素子間の隙間の寸法をｇ、視距離ｄ＝５００ｍｍとして、角度で規定されたＦＳＳパターンＧａに変換し、
前記隙間の部分の透過率Ｔｉおよび前記導電性素子の透過率Ｔｃから、以下の式（５）で表されるマイケルソンコントラスト値ＭＣを算定し、
【数５】
2010062471.tif 000026
前記ＦＳＳパターンＧａに、前記マイケルソンコントラスト値ＭＣを乗じ、
これにより、前記ＦＳＳパターンの前記一つの次元における配列から得られるコントラスト情報Ｇｆを算出し、
前記コントラスト情報Ｇｆをフーリエ変換処理した後、得られたスペクトル情報Ｓｆに対して、以下の式（６）で表されるＭＴＦ応答を求める処理を実施して、ＭＴＦ応答信号を取得し、
【数６】
2010062471.tif 000027
さらに得られた前記ＭＴＦ応答信号を逆数化することにより、前記ＦＳＳパターンについての、空間周波数ｆに対するＲＣプロット群を得る。
（ＩＩ）視野角をｗとし、輝度をＬｋとしたとき、以下の式（７）で表されるコントラスト感度関数ＣＳＦを用いて、
【数７】
2010062471.tif 000028
視野角ｗ＝２０゜として、（Ｉ）で得られたＲＣプロット群に一致するコントラスト感度関数ＣＳＦが得られるような限界輝度ＬＬを算出する；この際には、
ＲＣプロット群を構成する各プロット毎に限界輝度ＬＬｉを算出し、
算出された各限界輝度ＬＬｉを用いて、以下の式（８）
【数８】
2010062471.tif 000029
から、実効限界輝度ＬＬｅｆを算出する。
（ＩＩＩ）同様の評価を、前記一つの次元と直交する別の次元について実施する。
（ＩＶ）得られた両次元における実効限界輝度ＬＬｅｆが、いずれも判断基準ＬＬｅｆ≧１０００ｃｄ／ｍ２を満足するかどうかを評価する。
【請求項１５】
透明基板上に、所定方向において所定の長さＬおよび間隔ｇをもって設けられる複数の導電性素子を備えた電磁波吸収体であって、
前記長さＬと前記間隔ｇは、前記長さＬを縦軸にし、前記間隔ｇを横軸とした座標において、
所望の電磁波吸収の下限値を示す下限線と、
所望の電磁波吸収の上限値を示す上限線と、
所望の限界輝度値を結ぶ限界輝度線と、
により囲まれた範囲内の値であることを特徴とする電磁波吸収体。
【発明の詳細な説明】
【技術分野】
【０００１】
本発明は、透明電波吸収体に関し、特に、透明電波吸収体のＦＳＳの構造に関する。
【背景技術】
【０００２】
近年の無線技術の著しい進展は、同時に、無線システムにおいて、干渉や混信などの電波障害を引き起こす可能性を高める結果となっている。例えば、物品に備えられたＲＦＩＤタグをリーダライターと呼ばれる無線機器で認識する、ＵＨＦ帯のＲＦＩＤシステムにおいては、リーダライターの識別ゾーンにおける電波障害が普及を妨げる大きな要因となっている。
【０００３】
このような無線システムの識別ゾーンにおける干渉や混信等の電波障害を防止するため、透明電波吸収体の使用が提案されている。
【０００４】
一般に、透明電波吸収体は、透明吸収層と、該透明吸収層から所定の距離（例えば波長の１／４）だけ離間して設置された透明反射層とで構成される。最近の例では、両層の離間距離を狭めるため、透明吸収層は、透明基板にＦＳＳ（Ｆｒｅｑｕｅｎｃｙ  Ｓｅｌｅｃｔｉｖｅ  Ｓｕｒｆａｃｅ）と呼ばれる周波数選択部材を設置することにより構成される。ＦＳＳは、透明導電性素子の繰り返し配列パターンを有する。一方、透明反射層は、透明基板に透明反射膜を設置することにより構成される。
【発明の開示】
【発明が解決しようとする課題】
【０００５】
前述の構成からも明らかなように、従来の透明電波吸収体は、全体として「透明」な状態となるように構成される。しかしながら、実際に透明電波吸収体を視認してみると、ＦＳＳの透明導電性素子のパターン（以下、単に「ＦＳＳパターン」と称する）のみが目立って見えることが確認され、すなわち透明電波吸収体は、完全な「透明」ではない。
【０００６】
このような問題が生じるのは、従来のＦＳＳでは、ＦＳＳパターンの透明性が可視光透過率にのみ着目して設計され、構成されているためである。人間の目は、透過率の小さな差異に対しても感度を有し、そのため、透明電波吸収体の中で、「透明」なＦＳＳパターンが目立って見えてしまう。
【０００７】
このようなＦＳＳパターンの際だった視認性は、透明電波吸収体の見栄えを悪くし、その美観を損ねる原因となっている。
【０００８】
しかしながら、本願発明者らの知る限りにおいて、「透明で目立たない」ＦＳＳパターンを有する透明電波吸収体は、これまでのところ報告されていない。そして、これには、ＦＳＳパターンに対して、「透明で目立たない」という状態を示す明確な指標が存在しないことが起因しているものと考えられる。
【０００９】
本発明は、このような背景に鑑みなされたものであり、本発明では、透明で目立ちにくいＦＳＳパターンを得るための、導電性素子の寸法およびその隙間の寸法を定める方法、ならびにＦＳＳパターンが目立ちにくく、見栄えが良い透明電波吸収体を提供することを目的とする。
【課題を解決するための手段】
【００１０】
本発明では、透明基板上に配置された導電性素子の二次元繰り返しパターンを有する透明電波吸収体用のＦＳＳにおいて、一つの方向における導電性素子の寸法Ｌおよび導電性素子間の隙間の寸法ｇを定める方法であって、
当該方法は、
（Ｉ）あるＦＳＳパターンの前記一つの方向に沿った一次元配列を、空間周波数ｆに対して、コントラストの逆数として数値化する工程であって、
（Ｉ−１）視距離ｄ、前記隙間の部分の透過率Ｔｉ、前記導電性素子の透過率Ｔｃを固定値として、前記ＦＳＳパターンの一次元配列から、コントラスト情報Ｇｆを得るステップ、
（Ｉ−２）前記コントラスト情報Ｇｆを、フーリエ変換処理し、スペクトル情報Ｓｆを得るステップ、
（Ｉ−３）前記スペクトル情報Ｓｆに対して、以下の式（１）で表されるＭＴＦ応答を求める処理を実施して、ＭＴＦ応答信号を取得するステップ、および
【００１１】
【数１】
2010062471.tif 000003
（Ｉ−４）前記ＭＴＦ応答信号を逆数化することにより、空間周波数ｆに対するＲＣプロット群を得るステップ、
を有する工程と、
（ＩＩ）視野角をｗ、輝度をＬｋとしたとき、以下の式（２）で表されるコントラスト感度関数ＣＳＦを用いて、
【００１２】
【数２】
2010062471.tif 000004
（Ｉ）で得られたＲＣプロット群に一致するコントラスト感度関数ＣＳＦが得られるような限界輝度を算出する工程であって、
（ＩＩ−１）視野角ｗを固定値として、ＲＣプロット群を構成する各プロット毎に、限界輝度ＬＬｉを算出するステップ、および
（ＩＩ−２）算出された各輝度ＬＬｉを用いて、以下の式（３）
【００１３】
【数３】
2010062471.tif 000005
から、実効限界輝度ＬＬｅｆを算出するステップ、
を有する工程と、
（ＩＩＩ）前記隙間の寸法ｇを横軸とし、前記導電性素子の寸法Ｌを縦軸とした二次元座標上に、同一の輝度ＬＬｅｆのプロット同士を結んだ少なくとも一つの限界輝度線Ａｉを示したマップを作成する工程であって、
前記工程（Ｉ）、工程（ＩＩ）を、前記導電性素子の寸法Ｌおよび前記導電性素子間の隙間の寸法ｇが異なる各種ＦＳＳパターンについて実施し、これにより、前記マップが作成される工程と、
（ＩＶ）前記マップから、前記導電性素子の寸法Ｌおよび前記導電性素子間の隙間の寸法ｇを定める工程であって、
（ＩＶ−１）前記マップ上に、前記透明電波吸収体が適正に作動するＦＳＳパターンの範囲Ｐを表示するステップ、
（ＩＶ−２）前記限界輝度線Ａｉおよび前記範囲Ｐで囲まれた領域のうち、前記限界輝度線Ａｉよりも左側の領域を選定領域として定めるステップ、および
（ＩＶ−３）得られた少なくとも一つの前記選定領域に含まれるように、前記導電性素子の寸法Ｌおよび前記導電性素子間の隙間の寸法ｇを定めるステップ、
を有する工程と、
を有することを特徴とする方法が提供される。
【００１４】
ここで、本発明による方法において、前記ＦＳＳパターンの一次元配列から、コントラスト情報Ｇｆを得るステップは、
前記視距離ｄから、前記ＦＳＳパターンの一次元配列を、角度で規定されたＦＳＳパターンＧａに変換するステップと、
前記隙間の部分の透過率Ｔｉおよび前記導電性素子の透過率Ｔｃから、以下の式（４）で表されるマイケルソンコントラスト値ＭＣを算定するステップと、
【００１５】
【数４】
2010062471.tif 000006
前記ＦＳＳパターンＧａに、前記マイケルソンコントラスト値ＭＣを乗じるステップと、
により算出されても良い。
【００１６】
また、前記マイケルソンコントラスト値ＭＣは、０．０８〜０．１５の範囲であっても良い。
【００１７】
また本発明による方法において、前記選定領域は、前記隙間の寸法ｇがｇ≧０．０５ｍｍを満たす領域にあっても良い。
【００１８】
また本発明による方法において、前記透明電波吸収体が適正に作動するＦＳＳパターンの範囲Ｐは、前記透明電波吸収体の吸収量が１０ｄＢ以上となるときのＦＳＳパターンの範囲を含んでも良い。
【００１９】
また本発明による方法において、前記隙間の部分の透過率Ｔｉは、０．８５〜０．９０の範囲であり、前記導電性素子の透過率Ｔｃは、０．６５〜０．８２の範囲であっても良い。
【００２０】
また本発明による方法において、前記視距離ｄは、５００ｍｍ〜１５００ｍｍの範囲であっても良い。
【００２１】
また本発明による方法において、前記視野角ｗは、２０゜〜３０゜の範囲であっても良い。
【００２２】
また本発明による方法において、前記限界輝度線Ａｉは、実効限界輝度ＬＬｅｆが１００ｃｄ／ｍ２以上の場合の限界輝度線であっても良い。
【００２３】
また本発明による方法において、前記ＦＳＳパターンは、一辺の長さがＬの導電性素子と、幅ｇを有するスリットとの二次元繰り返しパターンで構成されても良い。
【００２４】
あるいは、本発明による方法において、前記ＦＳＳパターンは、一辺の長さがＬの導電性素子と、幅がＤの中間部分との二次元繰り返しパターンで構成され、
前記中間部分は、それぞれが幅ｇを有する２本のスリットと、該２本のスリットの間に挟まれた第２の導電性素子とで構成され、
前記工程（Ｉ）〜（ＩＶ）において、前記導電性素子の一辺の長さＬと前記中間部分の幅Ｄとの比（Ｌ／Ｄ）を固定値ｋとしたとき、第２の導電性素子の幅Ｍを、
Ｍ＝Ｌ／ｋ−２ｇ
で求めて、同様の操作が行われても良い。
【００２５】
また本発明による方法において、前記導電性素子は、矩形状であり、
前記一つの方向に垂直な別の方向に沿った一次元配列に対して、前記工程（Ｉ）〜（ＩＶ）が繰り返されても良い。
【００２６】
あるいは、前記導電性素子は、正方形状であっても良い。
【００２７】
さらに本発明では、ＦＳＳパターンと呼ばれる、透明基板上に配置された導電性素子の二次元繰り返しパターンを有するＦＳＳを備える透明電波吸収体であって、
前記ＦＳＳパターンは、以下の（Ｉ）〜（ＩＩＩ）に示す評価手法により判断した場合、（ＩＶ）に示す判断基準を満たすことを特徴とする透明電波吸収体が提供される：
（評価手法）
（Ｉ）前記ＦＳＳパターンの一つの次元における配列を、導電性素子の寸法をＬ、前記導電性素子間の隙間の寸法をｇ、視距離ｄ＝５００ｍｍとして、角度で規定されたＦＳＳパターンＧａに変換し、
前記隙間の部分の透過率Ｔｉおよび前記導電性素子の透過率Ｔｃから、以下の式（５）で表されるマイケルソンコントラスト値ＭＣを算定し、
【００２８】
【数５】
2010062471.tif 000007
前記ＦＳＳパターンＧａに、前記マイケルソンコントラスト値ＭＣを乗じ、
これにより、前記ＦＳＳパターンの前記一つの次元における配列から得られるコントラスト情報Ｇｆを算出し、
前記コントラスト情報Ｇｆをフーリエ変換処理した後、得られたスペクトル情報Ｓｆに対して、以下の式（６）で表されるＭＴＦ応答を求める処理を実施して、ＭＴＦ応答信号を取得し、
【００２９】
【数６】
2010062471.tif 000008
さらに得られた前記ＭＴＦ応答信号を逆数化することにより、前記ＦＳＳパターンについての、空間周波数ｆに対するＲＣプロット群を得る。
（ＩＩ）視野角をｗとし、輝度をＬｋとしたとき、以下の式（７）で表されるコントラスト感度関数ＣＳＦを用いて、
【００３０】
【数７】
2010062471.tif 000009
視野角ｗ＝２０゜として、（Ｉ）で得られたＲＣプロット群に一致するコントラスト感度関数ＣＳＦが得られるような限界輝度ＬＬを算出する；この際には、
ＲＣプロット群を構成する各プロット毎に限界輝度ＬＬｉを算出し、
算出された各限界輝度ＬＬｉを用いて、以下の式（８）
【００３１】
【数８】
2010062471.tif 000010
から、実効限界輝度ＬＬｅｆを算出する。
（ＩＩＩ）同様の評価を、前記一つの次元と直交する別の次元について実施する。
（ＩＶ）得られた両次元における実効限界輝度ＬＬｅｆが、いずれも判断基準ＬＬｅｆ≧１０００ｃｄ／ｍ２を満足するかどうかを評価する。
【００３２】
さらに本発明では、透明基板上に、所定方向において所定の長さＬおよび間隔ｇをもって設けられる複数の導電性素子を備えた電磁波吸収体であって、
前記長さＬと前記間隔ｇは、前記長さＬを縦軸にし、前記間隔ｇを横軸とした座標において、
所望の電磁波吸収の下限値を示す下限線と、
所望の電磁波吸収の上限値を示す上限線と、
所望の限界輝度値を結ぶ限界輝度線と、
により囲まれた範囲内の値であることを特徴とする電磁波吸収体が提供される。
【発明の効果】
【００３３】
本発明では、透明で目立ちにくいＦＳＳパターンを得るための、導電性素子の寸法およびその隙間の寸法を定める方法、ならびにＦＳＳパターンが目立ちにくく、見栄えが良い透明電波吸収体を提供することが可能となる。
【発明を実施するための最良の形態】
【００３４】
まず最初に、本発明の特徴をより良く理解するため、従来の透明電波吸収体の構成について説明する。図１には、従来の透明電波吸収体の断面の一例を示す。また、図２には、従来の透明電波吸収体における吸収層の上面図の一例を示す。なお、両図において、いくつかの部材の寸法は、誇張して示されており、このため、これらの図は、実際のスケールには対応していないことに留意する必要がある。
【００３５】
従来の透明電波吸収体１００は、吸収層１１０と、反射層１４０と、両者の間に空間１６０を形成するためのスペーサ１７０とで構成される。
【００３６】
吸収層１１０は、第１の透明基板１２０上にＦＳＳ（周波数選択膜）１２５を配置することにより構成される。なお、図１の例では、ＦＳＳ１２５の上部に、さらに透明保護層１３５が設置されているが、この透明保護層１３５の設置は任意である。第１の透明基板１２０（および透明保護層１３５）は、例えば、ガラス、ＰＥＴ（ポリエチレンテレフタレート）等の透明材料で構成される。
【００３７】
一方、反射層１４０は、第２の透明基板１５０と、その一方の表面に配置された透明反射膜１４５とにより構成される。第２の透明基板１５０は、例えば、ガラス、ＰＥＴ（ポリエチレンテレフタレート）等の透明材料で構成される。透明反射膜１４５は、例えば、透明金属薄膜と透明酸化物薄膜とを繰り返し積層することにより構成される。透明金属薄膜には、例えば、銀が使用され、透明酸化物薄膜には、例えば、酸化亜鉛、酸化インジウム等が使用される。
【００３８】
ＦＳＳ１２５は、図２に示すように、第１の透明基板１２０上に、導電性素子１２６の規則パターン１２８を配置することにより構成される。本願では、このような導電性素子１２６の規則パターン１２８を、以降「ＦＳＳパターン」１２８と称する。この図の例では、導電性素子１２６は、一辺の長さがＬの正方形の形状を有し、各導電性素子１２６が縦方向（Ｘ方向）と横方向（Ｙ方向）に、繰り返し（５回）配置されることにより、導電性素子１２６の規則パターン１２８が形成されている。なお、各導電性素子１２６の周囲は、幅がｇの寸法を有する隙間１３０で囲まれている。導電性素子１２６は、例えば、ＩＴＯ（インジウムスズ酸化物）等の透明導電性材料で構成される。
【００３９】
このような各透明部材を組み合わせて構成される透明電波吸収体１００は、全体としても「透明」である。しかしながら、この「透明」な状態は、可視光に対する透過率が高いという点で「透明」であるに過ぎず、人間の目の知覚性に対しては、「透明」ではない。すなわち、前述のように構成された電波吸収体１００を実際に人間が視認した場合、電波吸収体と人間の間の距離（以下、「視距離」という）、電波吸収体が視認される角度（以下、「視野角」という）、環境の照度等の条件によっては、電波吸収体１００に含まれるＦＳＳパターン１２８が目立って見えるようになる。これは、人間の目は、小さな透過率の差異を知覚する能力があり、このため、ＦＳＳパターン１２８の導電性素子の部分の透過率と隙間部分の透過率の違いを識別してしまうためである。
【００４０】
また、このように透明電波吸収体１００の中で、ＦＳＳパターン１２８が目立って見えてしまうと、透明電波吸収体１００の見栄えが悪くなり、その美観が損なわれてしまう。
【００４１】
従って、透明電波吸収体の美観を維持するためには、例えば視距離、視野角、環境の照度等の条件に左右されず、その設置される環境において、常に「透明で目立たない」ＦＳＳパターンを形成する必要がある。
【００４２】
しかしながら、本願発明者らの知る限りにおいて、ＦＳＳパターンが「透明で目立たない」ことを表す指標、換言すれば、「目立つＦＳＳパター」／「目立たないＦＳＳパターン」を識別することのできる指標は存在しない。このため、現状では、「透明で目立たない」ＦＳＳパターンを設計し、これを形成することは、不可能な状況となっている。
【００４３】
本願発明者らは、このような問題の下、鋭意研究開発を推進した結果、後述するように人の知覚能力をベースとした、透明でありながら目立つＦＳＳパターンと、透明で目立たないＦＳＳパターンとを識別する指標を見出した。またそのような指標を用いることにより、透明電波吸収体用の、透明で目立たないＦＳＳパターンを得ることができることを見出した。
【００４４】
一般に、あるパターンが本来有するコントラストの知覚性は、そのパターンまでの視距離ｄに応じて変化する。これは、視距離ｄによってそのパターンの空間周波数ｆが変化するためである。図３に、この空間周波数 ｆ の概念を示す。この図の例では、スクリーン１上に２周期の縞模様パターンが描かれており、これが人間の目２の網膜上に結像されている。空間周波数は、この網膜上の単位角度（１°）あたりの繰り返しの数であり、この図の場合のｆは、２（サイクル／°）である。この角度は視距離に反比例して変化するため、それに応じて空間周波数も変化する。人間の目が細かい縞模様を識別できないのは、この空間周波数に対する応答を有しており、高い空間周波数のコントラストが著しく低下するためであり、スクリーン上の縞模様パターンが同じでも、視距離によってコントラストが変化して知覚されることに留意する必要がある。
【００４５】
このような空間周波数ｆに対する人間の目の応答は、ＭＴＦ（Ｍｏｄｕｌａｔｉｏｎ  ｔｒａｎｓｆｅｒ  ｆｕｎｃｔｉｏｎ）と呼ばれる関数によりモデル化できることが知られており（Ｂ．Ｃｈｉｔｐｒａｓｅｒｔ，Ｋ．Ｒ．Ｒａｏ，"Ｈｕｍａｎ  Ｖｉｓｕａｌ  Ｗｅｉｇｈｔｅｄ  Ｐｒｏｇｒｅｓｓｉｖｅ  Ｉｍａｇｅ  Ｔｒａｎｓｍｉｓｓｉｏｎ"，ＩＥＥＥ  Ｔｒａｎｓ．  ｏｎ  Ｃｏｍｍ．ｖｏｌ．３８，Ｎｏ．７，Ｊｕｌｙ，１９９０：非特許文献１）、あるパターンのコントラストを数値化できる。
【００４６】
また、そのようなコントラストパターンが網膜に結像したとき、そのパターンを識別できるか否かのパターン知覚性も、周波数特性を有しているが、この周波数特性は、周囲の輝度によって変化し、輝度が高いほど、識別し得る感度は、高くなることが知られている。また、そのような輝度と空間周波数による知覚可能／不可能の閾値は、後述するように、コントラスト感度関数ＣＳＦと呼ばれる関数により、数値化することができることが知られている。
【００４７】
本願発明者らは、以上のようなパターンの知覚性に関する２つの技術を組み合わせることにより、特定の条件において、対象とするＦＳＳパターンが人間の目で知覚可能であるか、知覚不可能であるかを判断することができることを見出した。
【００４８】
すなわち、本発明では、ＦＳＳパターンの知覚可能／不可能を判断する指標に基づいて、ＦＳＳパターンの導電性素子の長さＬおよび導電性素子間の隙間ｇの寸法を定めることが可能な方法が提供され、これにより、「透明で目立たない」ＦＳＳパターンを提供することができる。
【００４９】
以下、本発明による、そのようなＦＳＳパターンの導電性素子の長さＬおよび導電性素子間の隙間の寸法ｇを定める方法について説明する。図４には、本発明による方法のフローチャートを示す。また、図５には、そのような方法が適用され得る、本発明による透明電波吸収体の吸収層の一例の上面図を示す。なお、本発明による透明電波吸収体の吸収層は、基本的に図２に示した、従来の吸収層１１０と同様の構成を有する。従って、図５において、図２の部材と対応する部材には、図２の参照符号に「Ｎ」を付した符号が付されている。例えば、本発明による吸収層は、１１０Ｎで表され、本発明によるＦＳＳの導電性素子は、１２６Ｎで表され、ＦＳＳパターンは、１２８Ｎで表されている。導電性素子１２６Ｎは、一辺の長さがＬの正方形状であり、導電性素子１２６Ｎ間の隙間は、ｇである。
【００５０】
なお、この図５では、導電性素子１２６Ｎは、５行×５列で配置されているが、実際のＦＳＳ１２５Ｎにおいて、導電性素子１２６Ｎの配列がより多くの行列で構成されることは、当業者には明らかである。また、図５では、導電性素子１２６Ｎは、正方形の形状を有するが、導電性素子１２６Ｎは、矩形状であっても良い。
【００５１】
図４に示すように、本発明の方法は、（Ｉ）あるＦＳＳパターンの一次元配列を、空間周波数ｆに対して、コントラストの逆数（「ＲＣプロット群」と称する。詳細は、以下参照）として数値化する工程（Ｓ１００）と、コントラスト感度関数ＣＳＦを用いて、工程（Ｉ）で得られたＲＣプロット群に一致するコントラスト感度関数ＣＳＦが得られるように、限界輝度ＬＬｅｆを算出する工程（Ｓ２００）と、（ＩＩＩ）隙間ｇを横軸とし、導電性素子の長さＬを縦軸とした二次元座標上に、同一の限界輝度ＬＬｅｆのプロット同士を結んだ少なくとも一つの限界輝度等高線Ａｉを示したマップを作成する工程（Ｓ３００）と、得られたマップから、導電性素子の長さＬおよび導電性素子間の隙間ｇを定める工程（Ｓ４００）と、を含む。
【００５２】
ここで、工程（Ｉ）は、視距離ｄ、透明基板の透過率Ｔｉ、導電性素子の透過率Ｔｃを固定値として、ＦＳＳパターンの一次元配列から、コントラスト情報Ｇｆを得るステップ（Ｓ１１０）と、得られたコントラスト情報Ｇｆをフーリエ変換処理し、スペクトル情報Ｓｆを得るステップ（Ｓ１２０）と、得られたスペクトル情報Ｓｆに対して、ＭＴＦ応答を求める処理を実施して、ＭＴＦ応答信号を取得するステップ（Ｓ１３０）と、得られたＭＴＦ応答信号を逆数化することにより、空間周波数ｆに対するＲＣプロット群を得るステップ（Ｓ１４０）と、を有する。
【００５３】
また、工程（ＩＩ）は、視野角ｗを固定値として、ＲＣプロット群を構成する各プロット毎に、限界輝度ＬＬを算出するステップ（Ｓ２１０）と、各限界輝度ＬＬを用いて、実効限界輝度ＬＬｅｆを算出するステップ（Ｓ２２０）と、を有する。
【００５４】
また、工程（ＩＶ）は、工程（ＩＩＩ）で得られたマップ上に、透明電波吸収体が適正に作動する、ＦＳＳパターンの範囲Ｐを表示するステップ（Ｓ４１０）と、限界輝度線Ａｉおよび前記範囲Ｐで囲まれた領域のうち、限界輝度線Ａｉよりも左側の領域を選定領域として定めるステップ（Ｓ４２０）と、少なくとも一つの選定領域に含まれるように、導電性素子の長さＬおよび導電性素子間の隙間ｇを定めるステップ（Ｓ４３０）と、を有する。
【００５５】
以下、各工程について詳しく説明する。
【００５６】
（工程Ｉ）
（ステップＳ１１０）
このステップＳ１１０では、あるＦＳＳパターンの一次元配列（例えば、図５のＸ方向の配列）から、コントラスト情報Ｇｆが得られる。
【００５７】
まず最初に、基本パラメータが入力され、ＦＳＳパターンが特定される。ここで、特定されるＦＳＳパターンは、一次元配列の情報（例えば、図５のＸ方向、またはＹ方向に関する情報）であることに留意する必要がある。
【００５８】
基本パラメータには、あるＦＳＳパターンの導電性素子の一つの方向（例えば、Ｘ方向）の長さＬと隙間の寸法ｇ、導電性素子１２６Ｎの透過率Ｔｉ、第１の透明基板１２０Ｎの透過率Ｔｃ、および視距離ｄが含まれる。例えば、第１の透明基板１２０ＮがガラスまたはＰＥＴフィルムであり、この上にＩＴＯ膜が形成されている場合、導電性素子の部分の透過率Ｔｃは、約０．６５〜０．８２の範囲であり、隙間部の透過率は、約０．８５〜０．９０の範囲である。一方、視距離ｄは、例えば５００ｍｍ〜１５００ｍｍの範囲である。
【００５９】
例えば、このステップ１１０は、
（ａ）視距離ｄを用いて、以下の式（９）により、ＦＳＳパターンの一次元配列情報を、角度で規定されたＦＳＳパターンＧａに変換するステップと、
【００６０】
【数９】
2010062471.tif 000011
（ｂ）隙間の透過率Ｔｉ、および導電性素子１２６Ｎの透過率Ｔｃから、以下の式（１０）で表されるマイケルソンコントラスト値ＭＣを算定するステップと、
【００６１】
【数１０】
2010062471.tif 000012
（ｃ）得られたＦＳＳパターンＧａにマイケルソンコントラスト値ＭＣを乗じるステップと、
を有し、これらのステップ（ａ）〜（ｃ）を経て、コントラスト情報Ｇｆが取得されても良い。
【００６２】
（ステップＳ１２０）
次に、得られたコントラスト情報Ｇｆがフーリエ変換処理され、スペクトル情報Ｓｆが得られる。
【００６３】
図６には、コントラスト情報Ｇｆをフーリエ変換することにより得られた、スペクトル情報Ｓｆの一例を示す。このスペクトル情報Ｓｆは、図５に示すようなＦＳＳパターン１２８Ｎにおいて、Ｌ＝１０ｍｍとし、ｇ＝０．２ｍｍとし、視距離ｄ＝５００ｍｍとし、マイケルソンコントラスト値ＭＣ＝０．１としたときに得られた結果である。
【００６４】
（ステップＳ１３０）
次に、得られたスペクトル情報Ｓｆに対して、ＭＴＦ（Ｍｏｄｕｌａｔｉｏｎ  Ｔｒａｎｓｆｅｒ  Ｆｕｎｃｔｉｏｎ）応答を求める処理が行われる。眼球光学系の空間インパルス応答をＰＳＦ（Ｐｏｉｎｔ  Ｓｐｒｅａｄ  Ｆｕｎｃｔｉｏｎ）と呼び、ＰＳＦをフーリエ変換し、これの絶対値を取ったものがＭＴＦである。ＭＴＦは空間周波数ｆにより、以下の式（１１）で表される（非特許文献１）。
【００６５】
【数１１】
2010062471.tif 000013
これにより、ＦＳＳパターンのＭＴＦ応答信号が得られる。図７には、前述の図６に示したスペクトル情報Ｓｆを用いて、ＦＳＳパターンのＭＴＦ応答を求めた結果を示す。通常の場合、この処理により、図７に示すように、複数のピークを有する応答信号が得られる。
【００６６】
（ステップＳ１４０）
次に、前述のＭＴＦ応答信号が逆数化され、この数値群が空間周波数ｆに対してプロットされる（これらのプロット群を、以下、「ＲＣプロット群」と称する）。
【００６７】
このような処理を経て、特定のＦＳＳパターンの一次元配列情報が、コントラストの逆数を示すＲＣプロット群として数値化される。
【００６８】
（工程ＩＩ）
次に、コントラスト感度関数ＣＳＦを利用して、限界輝度ＬＬｅｆが取得される。ここで、コントラスト感度関数ＣＳＦとは、ある輝度レベルのコントラスト刺激に対する、知覚感度の周波数特性を意味する。これは、心理物理実験により、以下のような測定を行って求めるのが一般的である。まず、被験者にその輝度レベルを中心に正弦波状に輝度が変化するコントラスト刺激を与え、輝度レベルや振幅を変化させて知覚可能／不可能の閾値のコントラストを測定し、それの逆数を取る、というものである。（すなわち、コントラスト感度関数ＣＳＦは、コントラストの逆数の次元を有する。）
このコントラスト感度関数ＣＳＦは、以下の数式でモデル化することができる（Ｂ．Ｇ．Ｊ．Ｂａｒｔｅｎ，"Ｅｖａｌｕａｔｉｏｎ  ｏｆ  ｓｕｂｊｅｃｔｉｖｅ  ｉｍａｇｅ  ｑｕａｌｉｔｙ  ｗｉｔｈ  ｔｈｅ  ｓｑｕａｒｅ−ｒｏｏｔ  ｉｎｔｅｇｒａｌ  ｍｅｔｈｏｄ"，Ｊ．Ｏｐｔ．Ｓｐｃ．Ａｍ．Ａ  Ｎｏ．１０，Ｏｃｔ．１９９０：非特許文献２参照）。
【００６９】
【数１２】
2010062471.tif 000014
ここで、ｆは、空間周波数（サイクル／゜）、ｗは、視野角（゜）、Ｌｋは、輝度（ｃｄ／ｍ２）である。
【００７０】
（ステップＳ２１０）
まず、ステップＳ２１０では、視野角ｗ（゜）を固定値として、輝度Ｌｋを変化させ、前述のＲＣプロット群に一致するようなコントラスト感度関数ＣＳＦが求められる。この操作によって得られる輝度を、「限界輝度」ＬＬと称する。なお視野角ｗは、例えば、２０゜≦ｗ≦３０゜の範囲である。
【００７１】
図８には、前述のＲＣプロット群と、輝度Ｌｋを変化させた際に得られるコントラスト感度関数ＣＳＦとを同一のグラフ上にプロットしたときの一例を示す。この図において、各パラメータは、以下のように設定した：導電性素子の長さＬ＝１０ｍｍ、隙間ｇ＝０．２ｍｍ、視距離ｄ＝１０００ｍｍ、視野角ｗ＝２０゜、マイケルソンコントラストＭＣ＝０．１。
【００７２】
図８において、黒丸で示すプロット群は、ＲＣプロット群を示しており、曲線Ｂ１〜Ｂ４は、各輝度Ｌｋにおけるコントラスト感度関数ＣＳＦを示している。この図から、輝度Ｌｋの変化とともに、コントラスト感度関数ＣＳＦの軌跡が変化することがわかる。すなわち、ＲＣプロット群のあるＲＣ値に軌跡が一致するようにコントラスト感度関数を設定することができる。
【００７３】
ただし、高輝度側での軌跡の変化は飽和していき、１０００ｃｄ／ｍ２以上ではほとんど変化しない。従って、あるＲＣ値（この値は空間周波数によって変わる）以上においては、一致させることはできない。ただしこの事実は、本手法の限界を示すものではなく、むしろ、あらゆる条件においてもパターンを知覚できない根拠を与えるものである。
【００７４】
なお実際には、ＲＣプロット群の各点に対して、最近接するコントラスト感度関数ＣＳＦが設定され、それにより限界輝度ＬＬが算定される。従って、１つのＲＣプロット群に対して、限界輝度ＬＬの値は、複数存在し、これらをＬＬｉと標記する。また、前述のように、ＣＳＦの輝度依存性の飽和によって一致できないＲＣプロットについては、便宜的にある大きな限界輝度（例えば１００００ｃｄ／ｍ２）を当てはめても実用上問題ない。
【００７５】
このような限界輝度ＬＬｉは、いわゆる最小化問題として再帰的に求めることができ、高輝度側で飽和するＣＳＦの特徴から、手法としては変数の上限と下限を許可するＢＦＧＳ準ニュートン法が適している。ただし、これに限らず、例えば、遺伝的アルゴリズム、ニューラルネットワーク、シニュレーテッドアニール法、またはＰａｒｔｉｃｌｅ  Ｓｗａｒｍ  Ｏｐｔｉｍｉｚａｔｉｏｎ法など、その他の手法が使用されても良い。
【００７６】
（ステップＳ２２０）
前述のステップＳ２１０では、限界輝度ＬＬｉが算定される。
【００７７】
ここで留意すべきことは、コントラスト感度関数ＣＳＦは、正弦波状のコントラスト信号に対する応答を示すものであり、高調波を含む刺激には、直接対応していないことである。例えば、図６のスペクトルから明らかなように、ＦＳＳパターンのスペクトル情報Ｓｆは、多くの高調波成分を有しており、このスペクトル情報Ｓｆに基づいて得られたＲＣプロット群と、コントラスト感度関数ＣＳＦ関数とは、本来、直接比較することはできない。
【００７８】
一方、ＲＣプロット群の高調波スペクトルに拡散したエネルギーは、正弦波状のコントラスト信号の単一周波数スペクトルと同様、コントラストの知覚に影響している。従って、これらのＲＣプロット群の高調波スペクトルの寄与は、各スペクトルの周波数を有する正弦波コントラスト刺激が並列に入力されて起こると考えて良い。このため、実際の限界輝度ＬＬｅｆは、ＲＣプロット群における各ＲＣプロットの限界輝度ＬＬｉを以下の式（１３）で合成することにより、得ることができる。
【００７９】
【数１３】
2010062471.tif 000015
そこで、このステップＳ２２０では、上記式（１３）を用いて、実際の限界輝度ＬＬｅｆ（以下、「実効限界輝度ＬＬｅｆ」という）が算定される。なお、実効限界輝度ＬＬｅｆは、対象とするＦＳＳパターンが知覚可能／知覚不可能となる輝度の閾値を示していることに留意する必要がある。
【００８０】
（工程ＩＩＩ）
(ステップＳ３００)
次に、ステップＳ３００では、前記工程（Ｉ）および工程（ＩＩ）の処理が、導電性素子の長さＬおよび前記導電性素子間の隙間ｇが異なる各種ＦＳＳパターンについて実施される。そして、得られた実効限界輝度ＬＬｅｆを用いて、隙間ｇを横軸とし、導電性素子の長さＬを縦軸とした二次元座標上に、同一の実効限界輝度ＬＬｅｆのプロット同士を結んだ少なくとも一つの限界輝度線Ａｉを示したマップが作成される。
【００８１】
図９には、工程（Ｉ）〜（ＩＩＩ）を経て作成されたマップの一例を示す。このマップは、パラメータ条件として、視距離ｄ＝１０００ｍｍ、視野角ｗ＝２０゜、マイケルソンコントラストＭＣ＝０．１２５を採用したときに得られたものである。導電性素子１２６Ｎ同士の隙間ｇ（ｍｍ）は、０．０５ｍｍから１．０ｍｍまで変化させた。また、導電性素子１２６Ｎの長さＬ（ｍｍ）は、０〜６０ｍｍの範囲で変化させた。
【００８２】
図９には、２本の限界輝度線Ａ１、Ａ２が示されている。限界輝度線Ａ１は、実効限界輝度ＬＬｅｆの値が１００ｃｄ／ｍ２となるプロット同士を結ぶことにより得られたものであり、限界輝度線Ａ２は、実効限界輝度ＬＬｅｆの値が１０００ｃｄ／ｍ２となるプロット同士を結ぶことにより得られたものである。この図に示すように、限界輝度線Ａｉは、通常の場合、右上がりの直線となる。なお、実効限界輝度ＬＬｅｆの値が１０００ｃｄ／ｍ２を超える場合についても、限界輝度線を算出したが、これらの限界輝度線は、１０００ｃｄ／ｍ２の限界輝度線Ａ２とほぼ一致することがわかった。これは前述の通り、コントラスト感度関数の輝度依存性が、１０００ｃｄ／ｍ２でほぼ飽和するためである。このことから、１０００ｃｄ／ｍ２を超える実効限界輝度ＬＬｅｆにおける限界輝度線は、実効限界輝度ＬＬｅｆが１０００ｃｄ／ｍ２のときの限界輝度線で代用しても良いと言える。
【００８３】
また、これらの限界輝度線Ａｉの導出の過程から明らかなように、図９において、限界輝度線Ａ１よりも右下の領域は、輝度が１００ｃｄ／ｍ２未満の環境においても、そのようなＦＳＳパターンが、パターンとして知覚されてしまうことを意味している。一方、限界輝度等高線Ａ１よりも左上の領域は、輝度１００ｃｄ／ｍ２以下の環境においては、そのようなＦＳＳパターンが、人の目に知覚されなくなることを示している。
【００８４】
同様に、図９において、限界輝度線Ａ２よりも左上の領域は、輝度１０００ｃｄ／ｍ２以下の環境において、そのような導電性素子配置を有するＦＳＳパターンが、知覚することができないことを意味している。ただし、前述のように、この限界輝度線Ａ２は、実効限界輝度ＬＬｅｆが１０００ｃｄ／ｍ２を超える環境にも適用することができるため、限界輝度線Ａ２よりも左上の領域は、実質的に、いかなる輝度においても、人間の目では知覚することができないＦＳＳパターンの領域を表していると言える。
【００８５】
（工程ＩＶ）
(ステップＳ４１０)
次に、ステップＳ４１０では、工程（ＩＩＩ）で作成されたマップ上に、透明電波吸収体が適正に作動するＦＳＳパターンの範囲Ｐが描写される。
【００８６】
ここで、そのような範囲Ｐは、例えば、透明電波吸収体１００Ｎにおける吸収量が１０ｄＢ以上（例えば、吸収量１０ｄＢまたは３０ｄＢ）となるときのＦＳＳパターンの範囲として、描写されても良い。
【００８７】
図１０には、前述の図９に示したマップ上に、そのような範囲Ｐを重ねて表示した状態を示す。この図において、２本の破線Ｐ１およびＰ２で挟まれた領域（ハッチ部分）は、透明電波吸収体１００Ｎにおける吸収量が１０ｄＢ以上となるときのＦＳＳパターンの領域、すなわち範囲Ｐを表している。このときの上側の破線Ｐ１は、以下の式
Ｙ＝３９．１＊Ｘ０．５５          （Ｘ１）
で近似される曲線である。また、下側の破線Ｐ２は、以下の式
Ｙ＝１８．５＊Ｘ０．４５          （Ｘ２）
で近似される曲線である。このときの反射層と吸収層の距離は、２７．２ｍｍ、シート抵抗は、１２０Ωである。
【００８８】
(ステップＳ４２０)
次に、前記マップにおいて、限界輝度線Ａｉおよび前記範囲Ｐで囲まれた領域のうち、限界輝度線Ａｉよりも左側の領域が、「選定領域」ＳＡｉとして定められる。
【００８９】
この「選定領域」ＳＡｉは、そのような領域に入るようにＦＳＳパターンを構成した場合、
（１）そのようなＦＳＳパターンは、透明電波吸収体の吸収層として十分に使用することができること、および
（２）そのようなＦＳＳパターンは、限界輝度線Ａｉを形成する実効限界輝度ＬＬｅｆ未満の輝度では、知覚することができないこと、
を表している。
【００９０】
図１１を用いて、この「選定領域」ＳＡｉについて、具体的に説明する。図１１は、前述の図１０において、横軸を０〜０．４ｍｍの範囲まで、および縦軸を０〜３０ｍｍの範囲まで拡大した図を示す。Ａ１、Ａ２、Ｐ１、Ｐ２等、図中の符号は、前述の図１０の場合と同様である。
【００９１】
図１１において、太線で囲った部分は、実効限界輝度ＬＬｅｆ≦１００ｃｄ／ｍ２の輝度における選定領域ＳＡ１を示している。すなわち、この選定領域ＳＡ１内に含まれる（ｇ，Ｌ）組を有するＦＳＳパターンは、１００ｃｄ／ｍ２未満の輝度では、知覚することができない。同様に、図１１において、斜線で示した部分は、実効限界輝度ＬＬｅｆ≦１０００ｃｄ／ｍ２の輝度における選定領域ＳＡ２を示している。従って、この選定領域ＳＡ２内に含まれる（ｇ，Ｌ）組を有するＦＳＳパターンは、１０００ｃｄ／ｍ２未満の輝度では、知覚することができない。
【００９２】
なお、前述の記載の通り、斜線で示した選定領域ＳＡ２は、実効限界輝度ＬＬｅｆ＞１０００ｃｄ／ｍ２の輝度に対しても、選定領域となる。すなわち、この選定領域ＳＡ２内に含まれる（ｇ，Ｌ）組を有するＦＳＳパターンは、実質的に、いかなる輝度においても視認することはできない。
【００９３】
なお、本発明にとって本質的ではないが、選定領域は、さらに隙間ｇ≧ｇｐを満たす領域に限定されても良い。ここでｇｐは、例えば、パターン処理技術の最小加工寸法等、外的要因で定まる隙間ｇの最小値である。
【００９４】
図１２には、そのような隙間ｇ≧ｇｐを条件として加えた場合の、実効限界輝度ＬＬｅｆ≦１００ｃｄ／ｍ２の輝度における選定領域ＳＡ１'（図の太線内の領域）と、実効限界輝度ＬＬｅｆ≦１０００ｃｄ／ｍ２の輝度における選定領域ＳＡ２'（図の斜線の領域）を示す。
【００９５】
(ステップＳ４３０)
次に、ステップＳ４３０では、前述の選定領域ＳＡｉに含まれるように、ＦＳＳパターンの導電性素子の長さＬおよび隙間ｇが設定される。前述のように、ＦＳＳパターンの構成が選定領域ＳＡｉに含まれる場合、これは、限界輝度線Ａｉを形成する実効限界輝度ＬＬｅｆ未満の輝度では、知覚することができないことを意味する。従って、この操作により、特定の輝度（実効限界輝度）において、透明で目立たないＦＳＳパターンを得ることができる。
【００９６】
以上のように、本発明では、図１１（または図１２）のような選定領域ＳＡｉ（またはＳＡｉ'）を示したマップを使用することにより、特定の輝度（実効限界輝度）において、対象となるＦＳＳパターンが人間の目に知覚されるかどうかを容易に判断することが可能となる。従って、本発明の方法を利用することにより、「透明で目立たない」ＦＳＳパターンを容易に設計したり、形成したりすることが可能となる。
【００９７】
前述の説明では、工程（ＩＩＩ）において、横軸が導電性素子間の隙間ｇで表され、縦軸が導電性素子の長さＬで表される二次元座標上に、マップが形成される例について説明した。しかしながら、工程（ＩＩＩ）で作成される二次元座標は、縦軸が導電性素子間の隙間ｇで表され、横軸が導電性素子の長さＬで表されても良い。この場合、工程（ＩＶ）で定められる選定領域ＳＡｉは、範囲Ｐと限界輝度線Ａｉで囲まれた領域のうち、限界輝度線Ａｉよりも下側の領域となる。
【００９８】
また、前述の記載では、図５に示すような導電性素子１２６Ｎの繰り返し配列を有するＦＳＳパターン１２８Ｎを例に、透明で目立たないＦＳＳパターン１２８Ｎが得られる導電性素子の長さＬと、導電性素子間の隙間ｇについて説明した。しかしながら、本発明の方法は、図５に示した繰り返し配列以外の配列にも適用することができる。
【００９９】
図１３には、図５とは異なる導電性素子の繰り返し配列を有するＦＳＳパターン２２８Ｎを示す。この図の例では、各導電性素子２２６Ｎは、２本のスリット２２１Ｎを含む中間部分２２４Ｎによって離間されており、中間部分２２４Ｎは、２本のスリット２２１Ｎの間に、別の導電性素子２２９Ｎを含む。導電性素子２２６Ｎの長さは、Ｌであり、スリット２２１Ｎの幅は、ｇであり、中間部分２２４Ｎの長さは、Ｄである（従って、別の導電性素子２２９Ｎの短辺の幅は、Ｄ−２ｇである）。
【０１００】
このような繰り返し配列を有するＦＳＳパターン２２８Ｎも、前述のＦＳＳパターン１２８Ｎと同様な手順で評価を行うことができる。ただし、別の導電性素子２２９Ｎの短辺の長さを、Ｌとｇを使って表す必要がある。ここでは長さの比Ｌ／Ｄを３に固定することによって、２２９Ｎの短辺の長さは、Ｌ／３−２ｇで求められる。この配列情報を用いて、ＦＳＳパターン１２８Ｎと同様に、角度で規定されたパターン情報が得られ、コントラスト情報、スペクトル情報が同様な手法で得ることができ、同様な評価を行うことができる。
【０１０１】
このアプローチが、他の繰り返し配列を有するＦＳＳパターンにも適用可能なことは、当業者には容易に理解できる。例えば、長さの比Ｌ／Ｄは、３でなくても良い。また、離間するスリットの本数は、３本以上であっても良い。すなわち、本発明では、ＦＳＳパターンの形状要素が、パラメータ（Ｌ，ｇ）を用いて一意に決定され、スペクトル情報Ｓｆが求められれば、同様な評価を行うことができる。さらに、本手法のパラメータ空間の次元（すなわちパラメータの数）は、２に限定されるものではなく、これは３以上であっても良い。
【０１０２】
なお、前述のような本発明による方法を利用した解析は、ＦＳＳパターンの一次元配列に着目して実施される。従って、実際のＦＳＳパターンの設計の際には、前述の各工程が、別の方向（例えば図５のＹ方向）におけるＦＳＳパターンの一次元配列に対しても実施される。そして、両方の一次元配列で得られた解析結果から、最終的に、透明で目立たないＦＳＳパターンの二次元配列（すなわち、導電性素子の長さ、および隙間の幅）が定められる。ただし、各導電性素子１２６Ｎが正方形状であり、導電性素子間の隙間１３０Ｎが横方向（図５のＸ方向）と縦方向（図５のＹ方向）で等しい場合、一方の解析を省略しても良いことは、当業者には明らかであろう。
【０１０３】
（透明電波吸収体）
本発明の別の態様では、透明で目立たないＦＳＳパターンを有する吸収層を備える透明電波吸収体が提供される。
【０１０４】
図１４には、本発明による透明電波吸収体の模式的な断面図を示す。なお、本発明による電波吸収体は、基本的に図１に示した、従来の吸収層１１０と同様の構成を有する。従って、図１４において、図１の部材と対応する部材には、図１の参照符号に「Ｎ」を付した符号が付されている。例えば、本発明による電波吸収体は、１００Ｎで表され、本発明による吸収層は、１１０Ｎで表され、反射層は、１４０Ｎで表され、スペーサは、１７０Ｎで表されている。なお、本発明による透明電波吸収体１００Ｎでは、ＦＳＳ１２５Ｎの導電性素子の配置パターンが、透明で目立たないという特徴を有する点が、従来の透明電波吸収体１００とは異なっている。
【０１０５】
なお、このような本発明による透明電波吸収体１００Ｎが、透明で目立たないＦＳＳパターンを有することは、以下の評価方法により、確認することができる。
【０１０６】
（評価方法）
（Ａ−Ｉ）ＦＳＳパターンの一つの次元（方向）における配列Ｇｒを、視距離ｄ＝５００ｍｍとして、以下の式（１４）により、角度で規定されたＦＳＳパターンＧａに変換する。
【０１０７】
【数１４】
2010062471.tif 000016
ここで、対象次元における導電性素子の寸法をＬとし、導電性素子間の隙間の寸法をｇとする。
【０１０８】
次に、隙間の部分の透過率Ｔｉおよび導電性素子の透過率Ｔｃから、以下の式（１５）で表されるマイケルソンコントラスト値ＭＣを算定する。
【０１０９】
【数１５】
2010062471.tif 000017
次に、前記ＦＳＳパターンＧａに、前記マイケルソンコントラスト値ＭＣを乗じ、ＦＳＳパターンの対象次元における配列から得られるコントラスト情報Ｇｆを算出する。
【０１１０】
さらに、このコントラスト情報Ｇｆをフーリエ変換処理した後、得られたスペクトル情報Ｓｆに対して、以下の式（１６）で表されるＭＴＦ応答を求める処理を実施して、ＭＴＦ応答信号を取得する。
【０１１１】
【数１６】
2010062471.tif 000018
さらに得られたＭＴＦ応答信号を逆数化することにより、ＦＳＳパターンについての、空間周波数ｆに対するＲＣプロット群を得る。
（Ａ−ＩＩ）視野角をｗとし、輝度をＬｋとしたとき、以下の式（１７）で表されるコントラスト感度関数ＣＳＦを用いて、
【０１１２】
【数１７】
2010062471.tif 000019
視野角ｗ＝２０゜として、（Ａ−Ｉ）で得られたＲＣプロット群に一致するコントラスト感度関数ＣＳＦが得られるような限界輝度ＬＬｅｆを算出する。この際には、ＲＣプロット群を構成する各プロット毎に限界輝度ＬＬｉを算出し、算出された各限界輝度ＬＬｉを用いて、以下の式（１８）
から、実効限界輝度ＬＬｅｆを算出する。
【０１１３】
【数１８】
2010062471.tif 000020
（Ａ−ＩＩＩ）同様の評価を、前記一つの次元と直交する別の次元についても実施する。さらに、両次元において得られた実効限界輝度ＬＬｅｆが、いずれも判断基準ＬＬｅｆ≧１０００ｃｄ／ｍ２を満足するかどうかを評価する。
【０１１４】
その結果、いずれの実効限界輝度ＬＬｅｆも判断基準を満足する場合、１０００ｃｄ／ｍ２以下の輝度の環境では、知覚されないＦＳＳパターン、さらには実質的にいかなる輝度でも知覚されないＦＳＳパターンが形成されていると判断できる。
【０１１５】
このように、本発明では、透明で目立たないＦＳＳパターンを有する透明電波吸収体１００Ｎが得られ、これにより透明電波吸収体１００Nの美感が損なわれることが防止される。
【実施例】
【０１１６】
以下、本発明の実施例について説明する。
【０１１７】
（実施例１）
以下の１〜３の処理により、実際に、ＦＳＳパターンの選定領域を算定した。
【０１１８】
（１．限界輝度線を示したマップの作成）
前述の本発明による方法の工程（Ｉ）〜（ＩＩＩ）を自動計算することの可能なコンピュータプログラムを用いて、限界輝度線のマップを作成した。図１５には、そのようなマップを作成する際に使用したコンピュータプログラムの計算チャートを示す。以下、このコンピュータプログラムチャートに沿って、限界輝度線のマップの作成方法を説明する。
【０１１９】
まず、ステップＳ１５１０では、計算のためのパラメータが入力される。具体的なパラメータは、ＦＳＳパターンにおける導電性素子の寸法Ｌと導電性素子間の隙間の寸法ｇの組み合わせの初期値（ｇ０，Ｌ０）、マイケルソンコントラスト値ＭＣ、視距離ｄ、および視野角ｗである。この他、輝度の初期値として、ある値ＬＬ０（例えば、ＬＬ０＝１ｃｄ／ｍ２）が入力される。
【０１２０】
本実施例では、マイケルソンコントラスト値ＭＣ＝０．１、視距離ｄ＝５００ｍｍ、視野角ｗ＝２０゜とした。また、ＦＳＳパターンの形態として、図５のパターンを採用し、（ｇ０，Ｌ０）＝（０．０５ｍｍ，６ｍｍ）とした。
【０１２１】
次に、ステップＳ１５２０では、前述の入力パラメータのうち、視野角ｗおよびＬＬ０を用いて、コントラスト感度関数ＣＳＦの初期値が計算される。
【０１２２】
次に、ステップＳ１５３０では、前述の式（９）により、長さに関するパターン情報Ｇｒが角度に関するパターン情報Ｇａに変換される。
【０１２３】
次に、ステップＳ１５４０では、入力されたマイケルソンコントラスト値ＭＣを用いて、パターン情報Ｇａのコントラスト信号の振幅（すなわち、コントラスト情報Ｇｆ）が計算される。
【０１２４】
次に、ステップＳ１５５０では、得られたコントラスト情報Ｇｆがフーリエ変換処理され、スペクトル情報Ｓｆが計算される。
【０１２５】
次に、ステップＳ１５６０では、スペクトル情報Ｓｆに対するＭＴＦ応答信号が計算される。
【０１２６】
次に、ステップＳ１５７０では、得られたＭＴＦ応答信号の逆数が計算され、ＲＣプロット群が取得される。
【０１２７】
次に、ステップＳ１５８０〜ステップＳ１６１０では、得られたＲＣプロット群の各スペクトルｉに対して、その周波数ｆｉでコントラスト感度関数ＣＳＦが ＲＣｉと最近接するように輝度が調整され、結果的に限界輝度ＬＬｉが計算される。この際には、まず１番目のスペクトルのＲＣ値（ＲＣ１）に対するコントラスト感度関数との差が最小となるように輝度が調整され（ステップＳ１５８０）、その時の限界輝度ＬＬ１が計算される（ステップＳ１５９０）。同様に、２番目以降のスペクトルのＲＣ値（ＲＣ２〜ＲＣｎ）とコントラスト感度関数との差が最小となるように輝度が調整され、そのときの限界輝度ＬＬ２〜ＬＬｎが計算される。
【０１２８】
その後、ＲＣプロット群の全てのスペクトルに対して限界輝度が取得されると、ステップＳ１６１０の判断ステップにより、処理は、ステップＳ１６２０に進む。ステップＳ１６２０では、前のステップで取得された各限界輝度ＬＬｉから、前述の式（１３）を用いて、実効限界輝度ＬＬｅｆが計算される。
【０１２９】
このような処理を、各（ｇ，Ｌ）組について実施した。本実施例では、ｇの範囲は、０．０５ｍｍ＜ｇ≦１．０ｍｍとし、Ｌの範囲は、６ｍｍ＜Ｌ≦６０ｍｍとした。
【０１３０】
（２．マップの作成）
次に、横軸を隙間ｇ、縦軸を導電性素子の寸法Ｌとした座標において、実効限界輝度ＬＬｅｆが等しくなる線を結び、限界輝度線Ａｉを示したマップを作成した。なお、限界輝度線は、実効限界輝度ＬＬｅｆが１００ｃｄ／ｍ２の場合、および１０００ｃｄ／ｍ２の場合について示した。
【０１３１】
（３．選定領域の算定）
次に、前述のマップに、透明電波吸収体が適正に作動するＦＳＳパターンの範囲Ｐを表示し、選定領域ＳＡｉを求めた。なお範囲Ｐは、透明電波吸収体の吸収量が１０ｄＢ以上となる領域とした。
【０１３２】
図１６には、本実施例１において得られた選定領域ＳＡを示す。図１６において、Ａ１は、実効限界輝度ＬＬｅｆが１００ｃｄ／ｍ２の場合の限界輝度線であり、Ａ２は、実効限界輝度ＬＬｅｆが１０００ｃｄ／ｍ２の場合の限界輝度線である。また、Ｐ１とＰ２の間の領域が範囲Ｐに相当する。従って、太枠で囲まれた領域は、実効限界輝度ＬＬｅｆが１００ｃｄ／ｍ２の環境における選定領域ＳＡ１に相当し、この領域に含まれるＦＳＳパターンは、輝度が１００ｃｄ／ｍ２以下の環境において、知覚することはできない。また、斜線で囲まれた領域は、実効限界輝度ＬＬｅｆが１０００ｃｄ／ｍ２の環境における選定領域ＳＡ２に相当し、ＦＳＳパターンがこの領域に含まれる場合、実質的にいかなる輝度においても、そのＦＳＳパターンは、知覚することはできないと言える。
【０１３３】
（実施例２）
実施例１と同様の処理により、別の条件におけるＦＳＳパターンの選定領域を算定した。この実施例では、入力パラメータとして、マイケルソンコントラスト値ＭＣ＝０．１、視距離ｄ＝５００ｍｍ、視野角ｗ＝３０゜を採用した。その他の条件は、実施例１と同じである。
【０１３４】
図１７には、本実施例２において得られた選定領域ＳＡ１およびＳＡ２を示す。なお、この実施例２では、ｇｐ＝０．０５ｍｍとし、ｇ≧ｇｐの条件を加えて、選定領域を算定した。
【０１３５】
（実施例３）
実施例１と同様の処理により、別の条件におけるＦＳＳパターンの選定領域を算定した。この実施例では、入力パラメータとして、マイケルソンコントラスト値ＭＣ＝０．１、視距離ｄ＝１０００ｍｍ、視野角ｗ＝２０゜を採用した。その他の条件は、実施例１と同じである。
【０１３６】
図１８には、本実施例３において得られた選定領域ＳＡ１およびＳＡ２を示す。なお、この実施例３では、ｇｐ＝０．０５ｍｍとし、ｇ≧ｇｐの条件を加えて、選定領域を算定した。
【０１３７】
（実施例４）
実施例１と同様の処理により、別の条件におけるＦＳＳパターンの選定領域を算定した。この実施例では、入力パラメータとして、マイケルソンコントラスト値ＭＣ＝０．１、視距離ｄ＝１５００ｍｍ、視野角ｗ＝２０゜を採用した。その他の条件は、実施例１と同じである。
【０１３８】
図１９には、本実施例４において得られた選定領域ＳＡ１およびＳＡ２を示す。なお、この実施例４では、ｇｐ＝０．０５ｍｍとし、ｇ≧ｇｐの条件を加えて、選定領域を算定した。
【０１３９】
（実施例５）
実施例１と同様の処理により、別の条件におけるＦＳＳパターンの選定領域を算定した。この実施例では、入力パラメータとして、マイケルソンコントラスト値ＭＣ＝０．１２５、視距離ｄ＝５００ｍｍ、視野角ｗ＝２０゜を採用した。その他の条件は、実施例１と同じである。
【０１４０】
図２０には、本実施例５において得られた選定領域ＳＡ１およびＳＡ２を示す。なお、この実施例５では、ｇｐ＝０．０５ｍｍとし、ｇ≧ｇｐの条件を加えて、選定領域を算定した。
【０１４１】
（実施例６）
実施例１と同様の処理により、別の条件におけるＦＳＳパターンの選定領域を算定した。この実施例では、入力パラメータとして、マイケルソンコントラスト値ＭＣ＝０．１２５、視距離ｄ＝１０００ｍｍ、視野角ｗ＝２０゜を採用した。その他の条件は、実施例１と同じである。
【０１４２】
前述の図１２には、本実施例６において得られた選定領域ＳＡ１およびＳＡ２を示す。なお、この実施例６では、ｇｐ＝０．０５ｍｍとし、ｇ≧ｇｐの条件を加えて、選定領域を算定した。
【０１４３】
（実施例７）
実施例１と同様の処理により、別の条件におけるＦＳＳパターンの選定領域を算定した。この実施例では、入力パラメータとして、マイケルソンコントラスト値ＭＣ＝０．１２５、視距離ｄ＝１０００ｍｍ、視野角ｗ＝３０゜を採用した。その他の条件は、実施例１と同じである。
【０１４４】
図２１には、本実施例７において得られた選定領域ＳＡ１およびＳＡ２を示す。なお、この実施例７では、ｇｐ＝０．０５ｍｍとし、ｇ≧ｇｐの条件を加えて、選定領域を算定した。
【０１４５】
（実施例８）
実施例１と同様の処理により、別の条件におけるＦＳＳパターンの選定領域を算定した。この実施例では、入力パラメータとして、マイケルソンコントラスト値ＭＣ＝０．１２５、視距離ｄ＝１５００ｍｍ、視野角ｗ＝２０゜を採用した。その他の条件は、実施例１と同じである。
【０１４６】
図２２には、本実施例８において得られた選定領域ＳＡ１およびＳＡ２を示す。なお、この実施例８では、ｇｐ＝０．０５ｍｍとし、ｇ≧ｇｐの条件を加えて、選定領域を算定した。
【０１４７】
（実施例９）
実施例１と同様の処理により、別の条件におけるＦＳＳパターンの選定領域を算定した。この実施例では、入力パラメータとして、マイケルソンコントラスト値ＭＣ＝０．１５、視距離ｄ＝５００ｍｍ、視野角ｗ＝２０゜を採用した。その他の条件は、実施例１と同じである。
【０１４８】
図２３には、本実施例９において得られた選定領域ＳＡ１およびＳＡ２を示す。なお、この実施例９では、ｇｐ＝０．０５ｍｍとし、ｇ≧ｇｐの条件を加えて、選定領域を算定した。
【０１４９】
（実施例１０）
実施例１と同様の処理により、別の条件におけるＦＳＳパターンの選定領域を算定した。この実施例では、入力パラメータとして、マイケルソンコントラスト値ＭＣ＝０．１５、視距離ｄ＝１０００ｍｍ、視野角ｗ＝２０゜を採用した。その他の条件は、実施例１と同じである。
【０１５０】
図２４には、本実施例１０において得られた選定領域ＳＡ１およびＳＡ２を示す。なお、この実施例１０では、ｇｐ＝０．０５ｍｍとし、ｇ≧ｇｐの条件を加えて、選定領域を算定した。
【０１５１】
（実施例１１）
実施例１と同様の処理により、別の条件におけるＦＳＳパターンの選定領域を算定した。この実施例では、入力パラメータとして、マイケルソンコントラスト値ＭＣ＝０．１５、視距離ｄ＝１５００ｍｍ、視野角ｗ＝２０゜を採用した。その他の条件は、実施例１と同じである。
【０１５２】
図２５には、本実施例１１において得られた選定領域ＳＡ１およびＳＡ２を示す。なお、この実施例１１では、ｇｐ＝０．０５ｍｍとし、ｇ≧ｇｐの条件を加えて、選定領域を算定した。
【０１５３】
（実施例１２）
実施例１と同様の処理により、別の条件におけるＦＳＳパターンの選定領域を算定した。ただし、この実施例では、ＦＳＳパターンの形態として、図１３のパターンを採用した。このため、導電性素子の一辺の長さＬと中間部分の幅Ｄの比（Ｌ／Ｄ）を３に固定し、第2の導電性素子の幅Ｍを、
Ｍ＝Ｌ／３−２ｇ
の式から求めて、前述と同様の処理を行った。また初期値（ｇ０，Ｌ０）＝（０．０５ｍｍ，９ｍｍ）とした。また、入力パラメータとして、マイケルソンコントラスト値ＭＣ＝０．１、視距離ｄ＝５００ｍｍ、視野角ｗ＝２０゜を採用した。その他の条件は、実施例１と同じである。
【０１５４】
図２６には、本実施例１２において得られた選定領域ＳＡ１およびＳＡ２を示す。なお、この実施例１２では、ｇｐ＝０．０５ｍｍとし、ｇ≧ｇｐの条件を加えて、選定領域を算定した。
【０１５５】
このとき、上側の破線Ｐ１は、以下の式で近似される曲線である：
Ｙ＝６２．０＊Ｘ０．４５          （Ｙ１）
また、下側の破線Ｐ２は、以下の式で近似される曲線である：
Ｙ＝３４．０＊Ｘ０．４６          （Ｙ２）
また、反射層と吸収層の距離は、２５．０ｍｍとし、シート抵抗は、１００Ωとした。
【０１５６】
（実施例１３）
実施例１２と同様の処理により、別の条件におけるＦＳＳパターンの選定領域を算定した。ただし、この実施例では、入力パラメータとして、マイケルソンコントラスト値ＭＣ＝０．１、視距離ｄ＝５００ｍｍ、視野角ｗ＝３０゜を採用した。その他の条件は、実施例１２と同じである。
【０１５７】
図２７には、本実施例１３において得られた選定領域ＳＡ１およびＳＡ２を示す。
【０１５８】
（実施例１４）
実施例１２と同様の処理により、別の条件におけるＦＳＳパターンの選定領域を算定した。ただし、この実施例では、入力パラメータとして、マイケルソンコントラスト値ＭＣ＝０．１、視距離ｄ＝１０００ｍｍ、視野角ｗ＝２０゜を採用した。その他の条件は、実施例１２と同じである。
【０１５９】
図２８には、本実施例１４において得られた選定領域ＳＡ１およびＳＡ２を示す。
【０１６０】
（実施例１５）
実施例１２と同様の処理により、別の条件におけるＦＳＳパターンの選定領域を算定した。ただし、この実施例では、入力パラメータとして、マイケルソンコントラスト値ＭＣ＝０．１、視距離ｄ＝１５００ｍｍ、視野角ｗ＝２０゜を採用した。その他の条件は、実施例１２と同じである。
【０１６１】
図２９には、本実施例１５において得られた選定領域ＳＡ１およびＳＡ２を示す。
【０１６２】
（実施例１６）
実施例１２と同様の処理により、別の条件におけるＦＳＳパターンの選定領域を算定した。ただし、この実施例では、入力パラメータとして、マイケルソンコントラスト値ＭＣ＝０．１２５、視距離ｄ＝５００ｍｍ、視野角ｗ＝２０゜を採用した。その他の条件は、実施例１２と同じである。
【０１６３】
図３０には、本実施例１６において得られた選定領域ＳＡ１およびＳＡ２を示す。
【０１６４】
（実施例１７）
実施例１２と同様の処理により、別の条件におけるＦＳＳパターンの選定領域を算定した。ただし、この実施例では、入力パラメータとして、マイケルソンコントラスト値ＭＣ＝０．１２５、視距離ｄ＝１０００ｍｍ、視野角ｗ＝２０゜を採用した。その他の条件は、実施例１２と同じである。
【０１６５】
図３１には、本実施例１７において得られた選定領域ＳＡ１およびＳＡ２を示す。
【０１６６】
（実施例１８）
実施例１２と同様の処理により、別の条件におけるＦＳＳパターンの選定領域を算定した。ただし、この実施例では、入力パラメータとして、マイケルソンコントラスト値ＭＣ＝０．１２５、視距離ｄ＝１０００ｍｍ、視野角ｗ＝３０゜を採用した。その他の条件は、実施例１２と同じである。
【０１６７】
図３２には、本実施例１８において得られた選定領域ＳＡ１およびＳＡ２を示す。
【０１６８】
（実施例１９）
実施例１２と同様の処理により、別の条件におけるＦＳＳパターンの選定領域を算定した。ただし、この実施例では、入力パラメータとして、マイケルソンコントラスト値ＭＣ＝０．１２５、視距離ｄ＝１５００ｍｍ、視野角ｗ＝２０゜を採用した。その他の条件は、実施例１２と同じである。
【０１６９】
図３３には、本実施例１９において得られた選定領域ＳＡ１およびＳＡ２を示す。
【０１７０】
（実施例２０）
実施例１２と同様の処理により、別の条件におけるＦＳＳパターンの選定領域を算定した。ただし、この実施例では、入力パラメータとして、マイケルソンコントラスト値ＭＣ＝０．１５、視距離ｄ＝５００ｍｍ、視野角ｗ＝２０゜を採用した。その他の条件は、実施例１２と同じである。
【０１７１】
図３４には、本実施例２０において得られた選定領域ＳＡ１およびＳＡ２を示す。
【０１７２】
（実施例２１）
実施例１２と同様の処理により、別の条件におけるＦＳＳパターンの選定領域を算定した。ただし、この実施例では、入力パラメータとして、マイケルソンコントラスト値ＭＣ＝０．１５、視距離ｄ＝１０００ｍｍ、視野角ｗ＝２０゜を採用した。その他の条件は、実施例１２と同じである。
【０１７３】
図３５には、本実施例２１において得られた選定領域ＳＡ１およびＳＡ２を示す。
【０１７４】
（実施例２２）
実施例１２と同様の処理により、別の条件におけるＦＳＳパターンの選定領域を算定した。ただし、この実施例では、入力パラメータとして、マイケルソンコントラスト値ＭＣ＝０．１５、視距離ｄ＝１５００ｍｍ、視野角ｗ＝２０゜を採用した。その他の条件は、実施例１２と同じである。
【０１７５】
図３６には、本実施例２２において得られた選定領域ＳＡ１およびＳＡ２を示す。
【０１７６】
表１には、各実施例における選定領域を得る際に使用した、ＦＳＳパターンの種類（図５または図１３）、パラメータの値、および得られた図面をまとめて示した。
【０１７７】
【表１】
2010062471.tif 000021
【産業上の利用可能性】
【０１７８】
本発明は、透明電波吸収体、特に透明電波吸収体のＦＳＳの構造に適用することができる。
【図面の簡単な説明】
【０１７９】
【図１】従来の透明電波吸収体の模式的な断面図の一例である。
【図２】従来の透明電波吸収体の吸収層の上面図の一例である。
【図３】空間周波数ｆを説明する概念図である。
【図４】本発明による透明で目立たないＦＳＳパターンを得るための方法の一例を示したフロー図である。
【図５】本発明による電波吸収体の吸収層の上面図の一例である。
【図６】コントラスト情報Ｇｆのフーリエ変換後に得られるスペクトル情報Ｓｆの一例を示した図である。
【図７】図６に示したスペクトル情報Ｓｆに基づいて、ＦＳＳパターンのＭＴＦ応答を求めた結果を示した図である。
【図８】一つのＲＣプロット群と、各種輝度におけるコントラスト感度関数ＣＳＦとを重ねて示したグラフである。
【図９】限界輝度線Ａｉを示したマップの一例である。
【図１０】図９のマップに、電波吸収体の吸収量が１０ｄＢとなる領域を重ねて示した図である。
【図１１】図１０の横軸および縦軸を拡大したグラフである。
【図１２】図１０のグラフにおいて、ｇ≧ｇｐの条件を加えた選定領域を示した図である。
【図１３】ＦＳＳパターンの別の構成を示した上面図である。
【図１４】本発明による透明電波吸収体の一例を模式的に示した断面図である。
【図１５】実施例１における限界輝度線のマップを作成する際に使用したフローチャートである。
【図１６】実施例１において得られた選択領域を示した図である。
【図１７】実施例２において得られた選択領域を示した図である。
【図１８】実施例３において得られた選択領域を示した図である。
【図１９】実施例４において得られた選択領域を示した図である。
【図２０】実施例５において得られた選択領域を示した図である。
【図２１】実施例７において得られた選択領域を示した図である。
【図２２】実施例８において得られた選択領域を示した図である。
【図２３】実施例９において得られた選択領域を示した図である。
【図２４】実施例１０において得られた選択領域を示した図である。
【図２５】実施例１１において得られた選択領域を示した図である。
【図２６】実施例１２において得られた選択領域を示した図である。
【図２７】実施例１３において得られた選択領域を示した図である。
【図２８】実施例１４において得られた選択領域を示した図である。
【図２９】実施例１５において得られた選択領域を示した図である。
【図３０】実施例１６において得られた選択領域を示した図である。
【図３１】実施例１７において得られた選択領域を示した図である。
【図３２】実施例１８において得られた選択領域を示した図である。
【図３３】実施例１９において得られた選択領域を示した図である。
【図３４】実施例２０において得られた選択領域を示した図である。
【図３５】実施例２１において得られた選択領域を示した図である。
【図３６】実施例２２において得られた選択領域を示した図である。
【符号の説明】
【０１８０】
１  スクリーン
２  人間の目
１００  従来の透明電波吸収体
１００Ｎ  本発明の透明電波吸収体
１１０、１１０Ｎ  吸収層
１２０、１２０Ｎ  第１の透明基板
１２５、１２５Ｎ  ＦＳＳ
１２６、１２６Ｎ  導電性素子
１２８、１２８Ｎ  ＦＳＳパターン
１３０、１３０Ｎ  隙間
１３５  保護層
１４０  反射層
１４５  反射膜
１５０  第２の透明基板
１６０  空間
１７０  スペーサ
２２１Ｎ  スリット
２２４Ｎ  中間部分
２２６Ｎ  導電性素子
２２８Ｎ  ＦＳＳパターン
２２９Ｎ  別の導電性素子。
【図１】
2010062471.tif 000030
【図２】
2010062471.tif 000031
【図３】
2010062471.tif 000032
【図４】
2010062471.tif 000033
【図５】
2010062471.tif 000034
【図６】
2010062471.tif 000035
【図７】
2010062471.tif 000036
【図８】
2010062471.tif 000037
【図９】
2010062471.tif 000038
【図１０】
2010062471.tif 000039
【図１１】
2010062471.tif 000040
【図１２】
2010062471.tif 000041
【図１３】
2010062471.tif 000042
【図１４】
2010062471.tif 000043
【図１５】
2010062471.tif 000044
【図１６】
2010062471.tif 000045
【図１７】
2010062471.tif 000046
【図１８】
2010062471.tif 000047
【図１９】
2010062471.tif 000048
【図２０】
2010062471.tif 000049
【図２１】
2010062471.tif 000050
【図２２】
2010062471.tif 000051
【図２３】
2010062471.tif 000052
【図２４】
2010062471.tif 000053
【図２５】
2010062471.tif 000054
【図２６】
2010062471.tif 000055
【図２７】
2010062471.tif 000056
【図２８】
2010062471.tif 000057
【図２９】
2010062471.tif 000058
【図３０】
2010062471.tif 000059
【図３１】
2010062471.tif 000060
【図３２】
2010062471.tif 000061
【図３３】
2010062471.tif 000062
【図３４】
2010062471.tif 000063
【図３５】
2010062471.tif 000064
【図３６】
2010062471.tif 000065